(57)【要約】【課題】  所定の建入れ調整を可能にし得るのはもちろんのこと、可能な限りの重量の軽減化と耐久性の向上を可能にする。【解決手段】  既設となる下方柱体Ｐ１の上端部に設けた下方エレクションピースＥ１と新たとなる上方柱体Ｐ２の下端部に設けた上方エレクションピースＥ２を臨在させるフレームＦが下端部３に螺装の固定ボルト７における螺合操作で下方エレクションピースＥ１に対してこのフレームＦの軸線方向となる上下方向に移動可能とされ、上記のフレームＦの上端部に設けられる流体圧ジャッキＪが下端を上方エレクションピースＥ２の上端に当接させるロッド体２２を有すると共に、このロッド体２２が伸長作動時に突出して上方エレクションピースＥ２を下方エレクションピースＥ１に向けて下降させて、下方柱体Ｐ１に対する上方柱体Ｐ２の下降を可能にしてなる。【選択図】  図１
2011236585.tif 000002
【特許請求の範囲】
【請求項１】
既設となる下方柱体の上端部に設けた下方エレクションピースおよび上記の下方柱体に上方から連結される上方柱体の下端部に設けた上方エレクションピースを臨在させるフレームと、このフレームの上端部に設けられて人力操作による伸長作動時に上方エレクションピースを下方エレクションピースに向けて押し下げる流体圧ジャッキとを有してなる建入れ治具において、フレームが下端部に螺装の固定ボルトにおける螺合操作で下方エレクションピースに対してこのフレームの軸線方向となる上下方向に移動可能とされ、流体圧ジャッキが下端を上方エレクションピースの上端に当接させるロッド体を有すると共に、このロッド体が伸長作動時に突出して上方エレクションピースを下方エレクションピースに向けて下降させて、下方柱体に対する上方柱体の下降を可能にしてなることを特徴とする建入れ治具。
【請求項２】
上記のフレームがこのフレームを貫通すると共に上記の下方エレクションピースを挿通するトグルピンによって下方エレクションピースに連結される一方で、フレームがトグルピンの貫通を許容する丸孔を有すると共に、下方エレクションピースが上記のトグルピンの挿通を許容する縦長孔からなる挿通孔を有し、この挿通孔で上記のトグルピンが上下動可能とされてなる請求項１に記載の建入れ治具。
【請求項３】
上記のフレームが内側空部に下方エレクションピースの上端に担持される支持ブロックと、この支持ブロックと上方エレクションピースとの間に挿し込まれる楔とを有し、この楔に対向する支持ブロックにおける上端面および上記の下方エレクションピースに対向する下端面がそれぞれ外方に向けて突出する湾曲面とされてなる請求項１または請求項２に記載の建入れ治具。
【請求項４】
上記のフレームがこのフレームを貫通すると共に上記の支持ブロックを挿通する連結ピンを有する一方で、フレームが上記の連結ピンの貫通を許容する丸孔を有すると共に、支持ブロックが上記の連結ピンの挿通を許容する縦長孔からなる挿通孔を有し、この挿通孔で上記の連結ピンが上下動可能とされてなる請求項１，請求項２または請求項３に記載の建入れ治具。
【請求項５】
上記の流体圧ジャッキが人力操作で回動する操作ボルトを有する操作部を有し、この操作部がケーシング内に摺動可能に収装されて上記の操作ボルトを連設させるピストン部を有し、このピストン部によってケーシング内に作動流体を充満させる容室を画成し、ピストン部が上記の操作ボルトの回動で摺動して容室を狭めるときにこの容室からの流体圧を外部に供給してなる請求項１，請求項２，請求項３または請求項４に記載の建入れ治具。
【請求項６】
上記の流体圧ジャッキが下端を上方エレクションピースの上端に当接させるロッド体を有する加圧部を有し、この加圧部がハウジング内に摺動可能に収装されるピストン部を有し、このピストン部によってハウジング内に画成されて外部からの流体圧を受け容れる圧力室を有し、ピストン部が圧力室の膨張で伸長作動してこのピストン部に連設の上記のロッド体を外部に突出させ、ロッド体が下端たる基端を下方に向けて突出する湾曲面としてなる請求項１，請求項２，請求項３，請求項４または請求項５に記載の建入れ治具。
【請求項７】
上記のロッド体が軸芯部を貫通するロックピンを有し、このロックピンが頸部を上記のハウジングに回動可能に保持されながら上下動可能とされて先端をロッド体の下端に露呈させながら上方エレクションピースの上端に当接可能とされてなる請求項６に記載の建入れ治具。
【発明の詳細な説明】
【技術分野】
【０００１】
この発明は、建入れ治具に関し、特に、重量物たる鉄骨製の柱体を利用して構築物を構築する際に、建込まれる柱体における垂直度の調整を可能にする建入れ治具の改良に関する。
【背景技術】
【０００２】
周知のように、構築物を構築する際には、立設される、すなわち、建込まれる柱体における垂直度が調整されるが、その柱体が重量物たる鉄骨製とされる場合には、専用の治具たる建入れ治具が利用される。
【０００３】
そして、この種の建入れ治具として、これまでに種々の提案があるが、その中で、特許文献１に開示の提案にあっては、機械力たる油圧ジャッキの作用力を利用する。
【０００４】
すなわち、この特許文献１に開示の建入れ治具は、上下となる柱体にあらかじめ連設されるブラケットたるエレクションピースに連結され、このエレクションピースを通じて、たとえば、横断面が四方形となる上方柱体におけるいわゆる四方を独立に高低させて柱体における垂直度を調整する。
【０００５】
ちなみに、油圧ジャッキは、作業員によるポンピング操作で伸縮する構成とされ、ポンピング用のハンドルを有すると共に、油圧ジャッキの伸縮方向を選択する切換バルブを有するなどのいわゆる油圧機構を有する。
【０００６】
それゆえ、この特許文献１に開示の建入れ治具にあっては、たとえば、既設となる鉄骨製の下方柱体に対してクレーンの利用などで上方から吊り下げられて連結される上方柱体における垂直度を油圧ジャッキの作動で調整し得る。
【先行技術文献】
【特許文献】
【０００７】
【特許文献１】特開２００２‐２２７４１９号公報（特許請求の範囲，明細書中の段落００１１から同００２５，図１，図２，図３参照）
【発明の概要】
【発明が解決しようとする課題】
【０００８】
しかしながら、上記した特許文献１に開示の提案にあっては、油圧ジャッキの作動で上方柱体における垂直度を調整し得る点で、基本的に、問題がある訳ではないが、その利用の実際を鑑みると、些かの不具合があると指摘される可能性がある。
【０００９】
すなわち、上記した提案にあっては、流体圧ジャッキは、流体油機構を有し、しかも、この流体圧機構が梃子原理に基づく外付けのハンドルを有する他、タンク，ポンプ，圧力室制御弁および背圧室制御弁を有してなるから、建入れ治具を全体構成として看ると構造が複雑になる。
【００１０】
その結果、先ずは、部品点数を多くして、建入れ治具における重量の増大化や製品コストの高騰化を回避できなくする不具合がある。
【００１１】
つぎに、この種の建入れ治具は、仮設資材であり、この種の建築構築の業種にあってはその取り扱いが乱雑にされ易くなることを鑑みると、この建入れ治具に梃子状に設けられるハンドルや、内部に組み込まれるバルブ類の外部に露出する制御部分についての耐久性を保障し難くなる不利がある。
【００１２】
この発明は、上記した事情を鑑みて創案されたものであって、その目的とするところは、所定の建入れ調整を可能にし得るのはもちろんのこと、可能な限りの重量の軽減化と耐久性の向上を可能にして、その汎用性の向上を期待するのに最適となる建入れ治具を提供することである。
【課題を解決するための手段】
【００１３】
上記した目的を達成するために、この発明による建入れ治具の構成を、基本的には、既設となる下方柱体の上端部に設けた下方エレクションピースおよび上記の下方柱体に上方から連結される上方柱体の下端部に設けた上方エレクションピースを臨在させるフレームと、このフレームの上端部に設けられて人力操作による伸長作動時に上方エレクションピースを下方エレクションピースに向けて押し下げる流体圧ジャッキとを有してなる建入れ治具において、フレームが下端部に螺装の固定ボルトにおける螺合操作で下方エレクションピースに対してこのフレームの軸線方向となる上下方向に移動可能とされ、流体圧ジャッキが下端を上方エレクションピースの上端に当接させるロッド体を有すると共に、このロッド体が伸長作動時に突出して上方エレクションピースを下方エレクションピースに向けて下降させて、下方柱体に対する上方柱体の下降を可能にしてなるとする。
【発明の効果】
【００１４】
それゆえ、この発明にあっては、流体圧ジャッキの伸長作動で上方エレクションピースを下方エレクションピースに向けて下降させることが可能になり、したがって、上方柱体における垂直度を調整し得る。
【００１５】
つまり、この発明にあっては、上方柱体を下方柱体に向けて下降させることで上方柱体における垂直度を調整するから、上方柱体を上昇させるようにして上方柱体における垂直度を調整する場合に比較して、上方柱体の重量を作用力に置き換えられることもあって、上方柱体に作用する作用力を小さくでき、したがって、その分、部品構成をいたずらに頑強にしなくて済み、製品重量の削減と製品コストの削減を可能にする。
【００１６】
そして、流体圧ジャッキが人力操作で伸長作動するから、切換バルブ類を有する場合に比較して、その構成を簡素化でき、構造を複雑にすることによる重量のいたずらな増大化や製品コストの高騰化を回避できる。
【００１７】
そしてまた、人力操作で伸長作動する流体圧ジャッキが人力操作で回動する操作ボルトを有すると共にこの操作ボルトの回動でロッド体を突出させて伸長作動する設定とされる場合には、流体圧ジャッキを伸長作動させるための梃子式のハンドルを有する場合に比較して、流体圧ジャッキにおける耐久性を向上できる。
【図面の簡単な説明】
【００１８】
【図１】この発明の一実施形態による建入れ治具の利用状態を示し、（Ａ）は、側面図であり、（Ｂ）は、正面図である。
【図２】図１（Ａ）に示す建入れ治具を一部側面図にして示す拡大縦断面図である。
【図３】図１（Ｂ）に示す建入れ治具を正面視で示す拡大断面図である。
【図４】流体圧ジャッキの他の実施形態を示す部分拡大断面図である。
【発明を実施するための形態】
【００１９】
以下に、図示した実施形態に基づいて、この発明を説明するが、図示するところでは、図１（Ａ）に示すように、この発明による建入れ治具は、構築物を構成する鉄骨製の上方柱体Ｐ２を既設となる同じく鉄骨製の下方柱体Ｐ１に上方から連結するのに際して、この上方柱体Ｐ２における垂直度を調整するために利用される。
【００２０】
このとき、下方柱体Ｐ１にあっては、上端部に鋼板からなるブラケットたる下方エレクションピースＥ１が工場などであらかじめ溶接（図中に溶接部として符号Ｍで示す）されており、上方柱体Ｐ２にあっても、下端部に鋼板からなるブラケットたる上方エレクションピースＥ２が同じく工場などであらかじめ溶接される。
【００２１】
そして、この下方エレクションピースＥ１および上方エレクションピースＥ２は、上方柱体Ｐ１および下方柱体Ｐ２における外部に対向する各立面に溶接されながら水平方向に適宜の長さに、すなわち、この発明による建入れ治具の連結を許容する長さを有するように突出する（図１（Ａ）参照）。
【００２２】
このとき、この発明による建入れ治具を利用する場合には、詳しくは後述するが、仮止め用の補助板やボルトナットの併用を要しないから、仮止め用の補助板やボルトナットを併用する場合に比較して、下方エレクションピースＥ１および上方エレクションピースＥ２をいわゆる大きく形成させない。
【００２３】
また、この下方エレクションピースＥ１および上方エレクションピースＥ２は、それぞれの軸線方向を下方柱体Ｐ１および上方柱体Ｐ２の軸線方向に沿う上下方向にしながら、特に、図１（Ａ）中で左側部となる先端側部が建入れ治具を構成する後述するフレームＦにおける内側空部Ａ（図１（Ｂ）参照）、すなわち、筒状部からなる本体部１の言わば内側部となる内側空部Ａへの臨在が許容される軸方向長さを有するように形成される。
【００２４】
そして、この建入れ治具にあっては、フレームＦの上端部に連設されて人力操作による伸長作動時にロッド体２２（図３参照）の下端を上方エレクションピースＥ２の上端に向けて突出する流体圧ジャッキＪを有してなる。
【００２５】
つまり、この発明による建入れ治具は、上方柱体Ｐ２における垂直度を調整するのに際して、上方柱体Ｐ２を下降させて垂直度を調整し得るようにしたところに特徴がある。
【００２６】
以下に、説明すると、図２および図３に示すように、フレームＦは、上下方向に延在される本体部１が筒状体からなり、特に、図示するところでは、円筒状体からなり（図１参照）、本体部１が角筒状体からなる場合に比較していわゆる当りを柔らかくし、取り扱う作業者に不快な感覚を抱かせないように配慮するが、本体部１が円筒状体からなるか、角筒状体からなるかは、この発明の成立に必要な条件ではないこともちろんである。
【００２７】
また、このフレームＦにあって、本体部１は、上端部２と下端部３とを有し、上端部２が後述する流体圧ジャッキＪを連設させると共に下端部３が本体部１の下端開口を閉塞することで、内側に内側空部Ａを画成する。
【００２８】
このとき、このフレームＦにあって、上端部２は、その軸芯部に流体圧ジャッキＪを連設させ、したがって、この流体圧ジャッキＪの下端、すなわち、流体圧ジャッキＪを形成する後述のロッド体２２の下端を上記の内側空部Ａに露呈させる。
【００２９】
そして、この内側空部Ａは、図１（Ａ）中で左端面となる正面（図１（Ｂ）にあっては、フレームＦの正面）に露呈する縦長の開口（符示せず）を介して外部に連通すると共に、同じく図１（Ａ）中で右端面となる背面に露呈する縦長の開口（符示せず）を介して外部に連通する。
【００３０】
そしてまた、このフレームＦにあっては、内側空部Ａに下方エレクションピースＥ１および上方エレクションピースＥ２、さらには、後述する支持ブロック４および楔５を上記の開口を介して挿通、すなわち、案内させる。
【００３１】
ところで、この建入れ治具にあっては、これを下方エレクションピースＥ１および上方エレクションピースＥ２に連結するのに際して、先ずは、下方エレクションピースＥ１にこの建入れ治具、すなわち、フレームＦを連結する。
【００３２】
このとき、図示する実施形態では、フレームＦは、連結ピンたるトグルピン６（図３参照）の利用下に下方エレクションピースＥ１に連結されるが、これは、フレームＦの下方エレクションピースＥ１への連結状態を保障するためである。
【００３３】
その一方で、フレームＦをトグルピン６の利用下に下方エレクションピースＥ１に連結する場合には、爾後に、このトグルピン６を回転中心にするようにしてフレームＦを起き上がらせる（図１（Ａ）中の仮想線図参照）ことで、内側空部Ａに上方エレクションピースＥ２を簡単に挿通、すなわち、案内させられる。
【００３４】
以上からすると、特に、フレームＦを下方エレクションピースＥ１に連結するためのみからは、下方エレクションピースＥ１に対する挿通孔Ｅｈの開穿を省略すると共にトグルピン６を不要にするとも言い得るが、フレームＦの下方エレクションピースＥ１への連結状態を保障するために、つまり、フレームＦが下方エレクションピースＥ１から脱落する不具合の発生を阻止する上からは、上記の挿通孔Ｅｈの形成とトグルピン６の利用が好ましい。
【００３５】
以上からして、下方エレクションピースＥ１に挿通孔Ｅｈが形成されるが、この挿通孔Ｅｈは、上記のトグルピン６を挿通させるのにあって、このトグルピン６の下方エレクションピースＥ１に対する上下方向の動きとなる昇降を妨げないように上下方向に延びる縦長孔からなる。
【００３６】
なお、フレームＦにおいて、図３中で左右部となる両側面部（符示せず）に開穿されて上記のトグルピン６を挿通させる孔（符示せず）は、このトグルピン６の軸部６１をいたずらなガタなくして挿通させる丸孔からなる。
【００３７】
そして、このトグルピン６にあっては、軸部６１の図３中で左端部となる先端部（符示せず）に抜け止め部６２（図３参照）を有し、この抜け止め部６２が回転作動することで、このトグルピン６のフレームＦに開穿の孔からの抜け出しを阻止する。
【００３８】
一方、フレームＦにおける下端部には、下方エレクションピースＥ１に対してフレームＦの上昇を阻止する手段を構成する固定ボルト７が螺装されており、この固定ボルト７の図中で上端となる先端は、その作動前、つまりこのフレームＦを下方エレクションピースＥ１に連結する際には下方エレクションピースＥ１の下端に対向するが、フレームＦが所定のセット状態にされてからこの固定ボルト７が螺入操作されると、図示するように、下方エレクションピースＥ１の下端に当接される。
【００３９】
つまり、フレームＦを所定のセット状態にするのに際しては、フレームＦが下方エレクションピースＥ１に連結されると共に上方エレクションピースＥ２を内側空部Ａに挿通させる状態になり、このとき、フレームＦの上端部２にある流体圧ジャッキＪの下端が上方エレクションピースＥ２の上端に対向しあるいは当接される状態になりながら上方エレクションピースＥ２の上端に吊持される態勢におかれる。
【００４０】
そして、この態勢下に、フレームＦの下端部３に螺装されている固定ボルト７を螺入操作すると、この固定ボルト７の先端が上記したように下方エレクションピースＥ１の下端に当接される。
【００４１】
そしてまた、この態勢から、すなわち、フレームＦが下方エレクションピースＥ１に連結されて、特に、下方エレクションピースＥ１に対してフレームＦの上昇が阻止されている態勢から、フレームＦの上端部２に連設される流体圧ジャッキＪが伸長作動すると、フレームＦに対して上方エレクションピースＥ２が下降する状態になり、当初に述べたように、下方エレクションピースＥ１に対して上方エレクションピースＥ２を下降させることが可能になる。
【００４２】
つまり、この発明の建入れ治具にあっては、上方柱体Ｐ２を下方柱体Ｐ１に向けて下降させることで上方柱体Ｐ２における垂直度を調整するから、上方柱体Ｐ２を上昇させるようにして上方柱体Ｐ２における垂直度を調整する場合に比較して、上方柱体Ｐ２の重量を作用力に置き換えられることもあって、上方柱体Ｐ２に作用する作用力を小さくでき、したがって、その分、部品構成をいたずらに頑強にしなくて済み、製品重量の削減と製品コストの削減を可能にする。
【００４３】
のみならず、上方柱体Ｐ２を下方柱体Ｐ１に向けて下降させることで上方柱体Ｐ２における垂直度を調整するから、結果として、下方柱体Ｐ１の上端と上方柱体Ｐ２の下端との間となる溶接隙間を小さくするようになり、その分溶接量を少なくできると共に、溶接作業における作業性を向上させることが可能になる。
【００４４】
ところで、流体圧ジャッキＪは、図２および図３に示すように、図示する実施形態にあっては、操作部１０と、加圧部２０とを有し、操作部１０に対する作業員による人力操作で加圧部２０を作動させるように構成されている。
【００４５】
すなわち、この発明にあって、流体圧ジャッキＪは、切換バルブやその他の制御バルブ類を有せずして構成され、したがって、構造を簡単にして、製品重量の削減を可能にすると共に製品コストの低廉化を可能にする。
【００４６】
先ず、操作部１０は、作業員による人力作業を容易にするように、人力操作で回動される操作ボルト１１の軸線方向がフレームＦにおける上下方向なる軸線方向を横切る方向に設定され、この操作ボルト１１を回動操作すると、図中で左右方向となる作業者にとっていわゆる前後方向にこの操作ボルト１１が進退することになって、その操作性に優れることになる。
【００４７】
そして、この操作ボルト１１は、ケーシング１２内で摺動するピストン部１１ａを有し、このピストン部１１ａは、ケーシング１２内に作動流体を充満させる容室１２ａを画成する。
【００４８】
上記に対して、加圧部２０は、上記のケーシング１２と一体形成されるハウジング２１内に摺動可能に収装されて下端を前記したフレームＦにおける内側空部Ａに露呈させるロッド体２２を有する。
【００４９】
そして、このロッド体２２は、ハウジング２１内に摺動可能に収装されてこのハウジング２１内に上記の容室１２ａと連通する圧力室２１ａを画成するピストン部２２ａを有する。
【００５０】
ちなみに、上記の操作部１０におけるピストン部１１ａの摺動方向が図３中で左右方向となる水平方向とされるのに対して、上記の加圧部２０におけるピストン部２２ａの摺動方向は、上下方向となって、フレームＦにおける内側空部Ａに挿通されている上方エレクションピースＥ２の下降方向にロッド体２２からの作用力をいわゆる無駄なく作用できるように配慮している。
【００５１】
また、この流体圧ジャッキＪにあって、上記の加圧部２０を構成するハウジング２１は、図３に示すように、下端螺条部２１ｂがフレームＦの上端部２に形成の内側螺条２ａに螺合することで、フレームＦに一体的に連設される。
【００５２】
このとき、図示しないが流体圧ジャッキＪの作用力で上記の下端螺条部２１ｂと内側螺条２ａとの螺合状態が解除などされないように、ハウジング２１とフレームＦの上端部２との連続部を溶接して一体化したり補強したりしても良いことはもちろんである。
【００５３】
そして、図示する流体圧ジャッキＪにあって、上方エレクションピースＥ２の上端に下端を当接させるロッド体２２は、下端たる基端２２ｂ（図３参照）が下方に向けて突出する湾曲面からなる。
【００５４】
つまり、この種のエレクションピース、すなわち、下方エレクションピースＥ１もそうであるが、上方エレクションピースＥ２が上方柱体Ｐ２に溶接される際に、その上端が絶対的に水平になるように溶接されると限らないことは経験則の示すところである。
【００５５】
このことからすると、仮に、上方エレクションピースＥ２の上端が図３中において左右のいずれかに傾斜して水平状態にない場合に、ロッド体２２の基端２２ｂが平坦面からなる場合には、ロッド体２２の基端２２ｂが上方エレクションピースＥ２の上端に点当たり、あるいは、線当たりする状況になり、当接状態が安定しなくなる危惧があるが、ロッド体２２の基端２２ｂが下方に突出する湾曲面からなる場合には、ロッド体２２の基端２２ｂが上方エレクションピースＥ２の上端に面当たりする状況になり、安定した当接状態を具現化できる。
【００５６】
そこで、言わば好ましくない状況が上方エレクションピースＥ２の上端に出現していても、ロッド体２２の基端２２ｂにおける上方エレクションピースＥ２の上端への当接状態を安定させられるように、上記したように、ロッド体２２の基端２２ｂを下方に向けて突出する湾曲面からなるとする。
【００５７】
それゆえ、この流体圧ジャッキＪにあっては、操作部１０で操作ロッド１１を回動操作させることで、容室１２ａの作動流体を加圧部２０における圧力室２１ａに供給し、この圧力室２１ａの膨張でピストン部２２ａを下降させることが可能になる。
【００５８】
なお、操作部１０は、図示するところにあっては、図３に示すように、水平方向に配設されているが、これに代えて、図示しないが、垂直方向に配設されるとしても良く、この場合には、いわゆる突起部がなくなり、収納性が向上すると共に、操作部１０と加圧部２０とを同軸にすることで、本体部１との一体成形も可能になる点で有利となる。
【００５９】
このとき、図示するところにあっては、操作部１０におけるピストン部１１ａの受圧面が加圧部２０におけるピストン部２２ａの受圧面より小さく設定されているので、作業員による人力操作で操作ロッド１１の回動を実現でき、圧力部２０におけるロッド体２２のハウジング２１内からの突出を容易に実現できる。
【００６０】
また、流体圧ジャッキＪにあって、ロッド体２２の基端２２ｂが下方に向けて突出する湾曲面とされるので、上方エレクションピースＥ２の上端に面当たりする状況になり、ロッド体２２からの推力、すなわち、上方エレクションピースＥ２を押し下げるようにする力が無駄なく、上方エレクションピースＥ２に伝達される。
【００６１】
以上からすると、この建入れ治具にあっては、最低限、上記した構成、すなわち、フレームＦと、流体圧ジャッキＪと、固定ボルト７を有すれば、上方エレクションピースＥ２を連設させる上方柱体Ｐ２における垂直度の調整を可能にし得ることになり、それで足りると言い得る。
【００６２】
しかし、この建入れ治具を利用する実際を鑑みると、上記のようにして上方柱体Ｐ２における垂直度が調整された後は、この上方柱体Ｐ２がいわゆる本作業（あるいは、本締作業）によって、その調整状態のままに固定されることが必要になる。
【００６３】
つまり、垂直度が調整された上方柱体Ｐ２は、そのままの状態に適宜の手段で維持されながら、溶接やボルト締めなどの本作業で下方柱体Ｐ１に一体的に連結されることで、上方柱体Ｐ２における建込みを終了できる。
【００６４】
このとき、下方柱体Ｐ１の上端と上方柱体Ｐ２の下端との間が直ちに溶接を実行できるほどに狭くなっている場合には、上記した適宜の手段による垂直度の調整状態の維持は、不要になるであろう。
【００６５】
しかし、多くの場合に、下方柱体Ｐ１の上端と上方柱体Ｐ２の下端との間が直ちに溶接を実行できるほどに狭くなっているとは限らず、また、一般的には、他作業の段取りなどの関係で、上方柱体Ｐ２における垂直度が調整された状態を上記の適宜の手段で一時的に維持するのが常態であろう。
【００６６】
このとき、図示しないが、従前であれば、下方エレクションピースＥ１の上端部と上方エレクションピースＥ２の下端部とに架け渡すように配設される仮止め用の補助板と、この補助板を下方エレクションピースＥ１の上端部および上方エレクションピースＥ２の下端部にそれぞれ連結するボルトナットとが適宜の手段として利用される。
【００６７】
また、同じく図示しないが、要する場合に下方エレクションピースＥ１の上端と上方エレクションピースＥ２の下端との間の溶接隙間に挿し込まれる楔が適宜の手段として併用される。
【００６８】
ちなみに、上記したように、従前であれば、適宜の手段として、補助板や楔を利用するから、この補助板の展設や楔の挿し込みを許容するように、下方エレクションピースＥ１および上方エレクションピースＥ２が大きく形成される傾向にある。
【００６９】
しかし、この種のエレクションピースにあっては、爾後に柱体から切り離されて廃棄処分されることを勘案すると、このエレクションピースを大きく形成することは不経済となる。
【００７０】
そこで、図示する実施形態にあっては、垂直度が調整された上方柱体Ｐ２における調整状態を一時的に固定的に維持するために、前記した支持ブロック４および楔５を有して、上方エレクションピースＥ２からの軸力を下方エレクションピースＥ１に伝達して安定させる。
【００７１】
すなわち、この発明にあっては、従前の仮止め用の補助板の利用を廃止すると共に、楔を下方エレクションピースＥ１の上端と上方エレクションピースＥ２の下端との間の溶接隙間に挿し込ませない、つまり、建入れ治具が楔を有するようにする。
【００７２】
このとき、支持ブロッ４は、言わばスペーサとして機能し、楔５は、文字通り、クサビとして機能するが、支持ブロック４がスペーサとして機能することを勘案すると、仮に、下方エレクションピースＥ１の上端と上方エレクションピースＥ２の下端との間が極めて接近している場合には、支持ブロック４の配設は不要であり、楔５の挿し込みだけで足りる。
【００７３】
しかし、下方エレクションピースＥ１の上端と上方エレクションピースＥ２の下端との間を楔５の挿し込みだけで足りるほどに狭くする場合には、そのために下方エレクションピースＥ１および上方エレクションピースＥ２を上下方向となる軸線方向に長く形成することに繋がり、爾後に溶断されて廃棄されるエレクションピースを大きく形成する不具合を招く。
【００７４】
そこで、エレクションピースを一般的な大きさに形成する一方で、下方エレクションピースＥ１の上端と上方エレクションピースＥ２の下端との間が広くなることによる不具合を解消するために、上記の支持ブロック４の配設が必須になる。
【００７５】
以上のこと、つまり、上方エレクションピースＥ２からの軸力を下方エレクションピースＥ１に伝達することからすると、支持ブロック４と楔５が別部品に形成されることは必須の条件ではない。
【００７６】
したがって、このことからすると、支持ブロック４と楔５は、これが図示するように、別部品に形成されるのに代えて、図示しないが、一体に形成された楔のみからなるとしても良い。
【００７７】
ただ、支持ブロック４と楔５を一体に形成する場合には、結果的に、楔を大きく形成することになり、楔の重量を大きくして、それを利用する際の作業性を悪くすることが十分考えられるから、このことからすると、図示するように別部品からなる方が良いのであろう。
【００７８】
そして、支持ブロック４が楔５と別部品に形成されることで、下方エレクションピースＥ１の上端と上方エレクションピースＥ２の下端との間の間隔が区々となる場合にも、この支持ブロック４を寸法違いのものと交換すれば良く、楔５の寸法違いのものを多数用意しなくて済むことになる点で有利となる。
【００７９】
以上のような前提の下に、この支持ブロック部４は、図２にも示すように、前記した下方エレクションピースＥ１に開穿の挿通孔Ｅｈに類似する縦長孔からなる挿通孔４ａを有し、この挿通孔４ａに連結ピン８（図３参照）を挿通させている。
【００８０】
このとき、フレームＦにあっては、前記したトグルピン６における場合と同様に、図３中で左右部となる両側部に上記の挿通孔４ａに照準されるように丸孔（符示せず）が開穿され、この丸孔に上記の連結ピン８の軸部８１がいわゆるガタなく挿通される。
【００８１】
それゆえ、上記の支持ブロック４にあっては、下方エレクションピースＥ１の上端位置が、また、上方エレクションピースＥ２の下端位置がいわゆる高低バラバラになるとしても、支持ブロック４が自身の有する縦長の挿通孔４ａの長さ分昇降し得ることになって、上記の上端位置および下端位置が区々になることに対応でき、軸力の伝達が不能になることをあらかじめ回避している。
【００８２】
そして、この支持ブロック４にあっては、その上端４ｂの後述する楔５の下端への当接が安定するように、また、その下端４ｃの下方エレクションピースＥ１の上端への当接が安定するように、上端４ｂおよび下端４ｃがそれぞれ外方に向けて突出する湾曲面からなるとしている。
【００８３】
このとき、図示するところにあっては、この支持ブロック４において下端４ｃの湾曲面は、下方エレクションピースＥ１の言わば水平となる上端に倣うように湾曲するが、上端４ｂの湾曲面は、傾斜する楔５の下端に倣うように言わば傾斜しながら湾曲する。
【００８４】
もっとも、支持ブロック４の上下端が対向する部材に安定状態に当接するとの観点からすれば、上端４ｂが楔５の傾斜した下端に倣うように傾斜しながら湾曲することは必ずしも必要でなく、したがって、上端４ｂが下端４ｃと対称となる湾曲面からなるとしても良い。
【００８５】
一方、楔５は、上記した支持ブロック４の上端と上方エレクションピースＥ２の下端との間の挿し込まれるもので、この楔５の挿し込みで上方エレクションピースＥ２からの軸力が楔５および支持ブロック４を介して下方エレクションピースＥ１に確実に伝達されることになる。
【００８６】
なお、この楔５は、上方エレクションピースＥ２と支持ブロック４との間に差し込まれるように先端に向けて収斂する本体部５１と、この本体部５１の後端に一体に設けられたブラケット部５２とを有し（図２参照）、このブラケット部５２を打撃することで、本体部５１の上方エレクションピースＥ２と支持ブロック４との間への差し込みを可能にする。
【００８７】
そして、このブラケット部５２は、ボルト５３を螺装させ、このボルト５３の捩じ込み操作で、本体部５１の上方エレクションピースＥ２と支持ブロック４との間からの抜き出しを可能にしている。
【００８８】
なお、上記の楔５は、図１に示すように、ワイヤＷ１で連結ピン８に連結され、この連結ピン８は、同じくワイヤＷ２でトグルピン６に連結され、楔５およびトグルピン６が連結ピン８に接続されて、紛失され易くなることを防止している。
【００８９】
なお、上方柱体Ｐ２が下方柱体Ｐ１に溶接やボルト締めなどで一体的に連結された後は、建入れ治具が下方エレクションピースＥ１および上方エレクションピースＰ２から外されて、再利用に供されるのはもちろんである。
【００９０】
上記したところでは、この発明による建入れ治具がフレームＦと、流体圧ジャッキＪと、固定ボルト７、さらには、ブロック４および楔５を有して、上方柱体Ｐ２における垂直度の調整を可能にすると共に、垂直度が調整された上方柱体Ｐ２をそのままの状態に維持することを可能にするが、流体圧ジャッキＪを利用するがゆえに危惧される不具合の解消を可能にする固定手段を有しても良い。
【００９１】
すなわち、流体圧ジャッキＪにあっては、時間の経過による作動流体の漏出を絶対的には阻止できず、したがって、流体圧ジャッキＪの作動で上方柱体Ｐ２の垂直度を調整した後は、できるだけ速やかに溶接やボルト絞めなどの本作業で上方柱体Ｐ２を下方柱体Ｐ１に固定状態に連結して建入れ治具に拠らなくても済むようにするのが好ましい。
【００９２】
しかしながら、実際には、諸般の事情で本作業に速やかに移行できず、したがって、垂直度が調整された上方柱体Ｐ２と下方柱体Ｐ１との間に建入れ治具が装着されたまま長時間が経過することがあり、折角調整した上方柱体Ｐ２における垂直度が流体圧ジャッキＪにおける作動流体の漏れで狂ってしまうことが危惧される。
【００９３】
そこで、図４に示す実施形態では、流体圧ジャッキＪが固定手段としてのロック構造を備えるもので、このロック構造は、流体圧ジャッキＪにおけるロッド体２２に代わって上方エレクションピースＥ２の上端に下端を当接させ、ロッド体２２が仮に後退して上方エレクションピースＥ２から離れることがあっても、上方エレクションピースＥ２の後退、すなわち、上昇を阻止して上方柱体Ｐ２における垂直度が変更されないように機能する。
【００９４】
少し説明すると、図４に示すところにあって、ロック構造は、流体圧ジャッキＪにおける加圧部２０を構成するピストン部２２ａを含むロッド体２２の軸芯部を貫通するロックピン２３を有し、このロックピン２３は、頸部２３ａがハウジング２１に回動可能に保持されながら上下動可能とされて、図中で下端となる先端２３ｂをロッド体２２の下端に露呈させながら上方エレクションピースＥ２の上端に当接可能とされてなる。
【００９５】
このとき、ロックピン２３は、図中での上端部を操作部２３ｃとして人力による回動操作を可能にし、また、頸部２３ａは、螺条部とされてハウジング２１側に、すなわち、ハウジング２１の上端に溶接などで一体的に連設されたソケット２４における内周螺条２４ａに螺合する。
【００９６】
そして、このロックピン２３にあっては、本体部たる軸部２３ｄがハウジング２１に開穿の透孔２１ｃおよびピストン部２２ａを含めたロッド体２２の軸芯部に開穿の透孔２２ｃをシール（符示せず）を有してそれぞれ液密構造下に貫通する。
【００９７】
そしてまた、このロックピン２３にあっては、軸部２３ｄの下端たる先端２３ｂを上方エレクションピースＥ２の上端に対向させるようにロッド体２２の下端２２ｂ（図３参照）に露呈する。
【００９８】
それゆえ、このロック構造、すなわち、固定手段を構成するロックピン２３にあっては、これがハウジング２１に対して進退されるのは、作業者による回動操作時のみであり、したがって、仮にピストン部２２ａを含むロッド体２２が作動流体の漏出で後退することがあっても、ロックピン２３が上方エレクションピースＥ２のフレームＦに対する移動を阻止して、ロック状態を維持する。
【００９９】
そして、このロック構造たる固定手段にあっては、ロックピン２３の先端２３ｂを上方エレクションピースＥ２の上端に当接させて、上方エレクションピースＥ２のフレームＦに対する上昇が阻止された状態のときには、加圧部２０において、むしろ積極的にロッド体２２を後退させるのが良い。
【０１００】
すなわち、操作部１０において、操作ボルト１１を回動操作してケーシング１２内にピストン部１１ａで画成される容室１２ａを膨張させ、加圧部２０における圧力室２１ａに充満される作動流体を操作部１０側に戻すことで、圧力室２１ａにおける圧力を言わば零にし６て、加圧部２０における漏油をあらかじめ回避するのが良い。
【０１０１】
前記したところでは、この建入れ治具が柱体の垂直度を調整するいわゆる建入れ治具として利用される場合を例にして説明したが、この発明による建入れ治具の構成からすれば、これが柱体に連結される水平材たる梁材における目違いを修正する治具として利用されるとしても良いことはもちろんである。
【０１０２】
また、前記したところでは、フレームＦが下方エレクションピースＥ１と上方エレクションピースＥ２との間における目違いを修正する構成を有しないが、これは、前記したところが、建入れ治具が建入れ治具として機能するところを優先的に説明するからであり、したがって、この建入れ治具が下方エレクションピースＥ１と上方エレクションピースＥ２との間における目違いを修正する構成を有するとしても良いことはもちろんである。
【産業上の利用可能性】
【０１０３】
重量物たる鉄骨製の柱体を利用して構築物を構築する際に、建込まれる柱体における垂直度を調整するのに向く。
【符号の説明】
【０１０４】
１  本体部
２  上端部
２ａ，２４ａ  内周螺条
３  下端部
４  支持ブロック
４ａ，Ｅｈ  挿通孔
４ｂ  上端
４ｃ，２２ｂ  下端
５  楔
６  トグルピン
７  固定ボルト
８  連結ピン
１０，２３ｃ  操作部
１１  操作ボルト
１１ａ，２２ａ  ピストン部
１２  ケーシング
２０  加圧部
２１  ハウジング
２１ａ  圧力室
２１ｂ  下端螺条部
２１ｃ，２２ｃ  透孔
２２  ロッド体
２３  ロックピン
２３ａ  頸部
２３ｂ  先端
２３ｄ  本体部たる軸部
２４  ソケット
５１  本体部
５２  ブラケット部
５３  ボルト
６１，８１  軸部
６２  抜け止め部
Ａ  内側空部
Ｅ１  下方エレクションピース
Ｅ２  上方エレクションピース
Ｆ  フレーム
Ｊ  流体圧ジャッキ
Ｍ  溶接部
Ｐ１  下方柱体
Ｐ２  上方柱体
Ｗ１，Ｗ２  ワイヤ
【図１】
2011236585.tif 000003
【図２】
2011236585.tif 000004
【図３】
2011236585.tif 000005
【図４】
2011236585.tif 000006